(57)【特許請求の範囲】
【請求項１】
画像形成装置本体の開閉蓋に設けられる取手部構造において、
前記開閉蓋の側端部に鉛直方向に沿って設けられて手指を差し込可能な凹設部と、
該凹設部の一部を覆っていて手指を引っ掛け得る被板部とを備え、
前記被板部に前記凹設部内と外部とを連通させる貫通孔を備え、
該貫通孔を用いて前記開閉蓋を開くための引手部材を取付け、取り外し可能とした
ことを特徴とする画像形成装置の取手部構造。
【請求項２】
前記引手部材は、ストラップ部材であることを特徴とする請求項１の画像形成装置の取手部構造。
【請求項３】
前記引手部材は、環状部材を有するつり革状のものであることを特徴とする請求項１の画像形成装置の取手部構造。
【請求項４】
請求項１から３のいずれかの画像形成装置の取手部構造を備えた開閉蓋を有することを特徴とする画像形成装置。
【発明の詳細な説明】
【技術分野】
【０００１】
本発明は画像形成装置の取手部構造、これを使用した画像形成装置に係り、特にどのような使用者にも操作し易い画像形成装置の取手部構造と、これを使用した画像形成装置に関する。
【背景技術】
【０００２】
画像形成装置には、装置本体側面から外側に向け移動可能に構成され、引出、収納可能な可動部材として、様々な個所がある。このような可動部材としては、例えば、用紙トレイ、装置内部を露出して装置の点検、ユニット交換を可能にする可動蓋部材、交換ユニットなどがあげられる。
【０００３】
このような可動蓋についてみると、画像形成装置には、図７に示すように、取手部材を備えた可動蓋として用紙トレイが設けられている。図４において、画像形成装置１００は、画像形成装置本体１１０と、給紙部１２０，原稿読取装置１３０、原稿自動供給装置１４０を備える。また、画像形成装置本体１１０には、排紙トレイ１１１，手差トレイ１２２が設けられる。
【０００４】
本例では、画像形成装置１００の給紙部１２０には、４つの用紙トレイ１２１，１２２，１２３，１２４が引き出し可能に配置されている。そして、各用紙トレイ１２１，１２２，１２３，１２４には同じ構造の取手部材１５１，１５２，１５３，１５４が配置されている。
【０００５】
また、画像形成装置本体１１０はその表面にヒンジを中心として開閉する開閉蓋１１３，１１４を備えて、この開閉蓋を開くことにより、点検、ユニット交換、ジャム処理を行うことができるようになっている。そして、開閉蓋１１３，１１４には取手部材１１５，１１６が取り付けられている。本例では、開閉蓋１１３は、下端にヒンジを備え、その上部に設けられた取手部材１１５に手指を差し込み開閉（図中矢印ａ）できるようになっている。同様に開閉蓋１１４は、側端にヒンジを備え、その反対端に設けられた取手部材１１６に手指を差し込み開閉（図中矢印ｂ）できるようになっている。
【０００６】
上記取手部材１５１，１５２，１５３，１５４のうち取手部材１５１について説明すると、取手部材１５１は用紙トレイ１２１表面に凹設され、手指が差し込可能な凹設部１５１aと、この凹設部の一部を覆いその端縁を前記凹設部の開口に渡した覆板部１５１ｂを備えたものである。この取手部材１５１を使用して用紙トレイ１２１を開くときには、前記凹設部１５１aに指を差し込み、前記覆板部１５１ｂの裏面に指を引っ掛け手前に引く動作をする。
【０００７】
同様に取手部材１１５、１１６は開閉蓋１１３，１１４に凹設され、手指が差し込可能な凹設部と、この凹設部の一部を覆いその端縁を前記凹設部の開口に渡した覆板部を備えたものである。
【０００８】
このように、可動蓋を開閉できる画像形成装置として、特許文献１には、装置本体一部が分割された上構造体と、この上構造体を支持する下構造体とを有し、上構造体の一方の側端には前後に前部ロック爪と後部ロック爪が配置され、下構造体側に各ロック爪を掛止するブラケットが設けられ、且つ前記前部ロック爪だけが前記ブラケットに掛止されないように規制し、後部ロック爪がブラケットに掛止されるときに前記規制が解除される規制部材を設けているものが記載されている。
【特許文献１】特開平０６-１６１１６２号公報
【発明の開示】
【発明が解決しようとする課題】
【０００９】
しかしながら、上述した上記の画像形成装置において、手指の不自由な使用者では、前記凹設部に手指を差し込む動作が難しく、画像形成装置を自由に操作することが難しいという問題があった。
【００１０】
そこで本発明は、手指が不自由な使用者であっても困難な動作をすることなく使用することができる画像形成装置の取手部構造、及び画像形成装置を提供することを目的とする。
【課題を解決するための手段】
【００１１】
請求項１の発明は、画像形成装置本体の開閉蓋に設けられる取手部構造において、前記開閉蓋の側端部に鉛直方向に沿って設けられて手指を差し込可能な凹設部と、該凹設部の一部を覆っていて手指を引っ掛け得る被板部とを備え、前記被板部に前記凹設部内と外部とを連通させる貫通孔を備え、該貫通孔を用いて前記開閉蓋を開くための引手部材を取付け、取り外し可能としたことを特徴とする画像形成装置の取手部構造である。
【００１２】
請求項２の発明は、請求項１の画像形成装置の取手部構造において、前記引手部材は、ストラップ部材であることを特徴とする。
【００１３】
請求項３の発明は、請求項１の画像形成装置の取手部構造において、前記引手部材は、環状部材を有するつり革状のものであることを特徴とする。
【００１４】
請求項４の発明は、請求項１から３のいずれかの画像形成装置の取手部構造を備えた開閉蓋を有することを特徴とする。
【発明の効果】
【００２３】
本発明によれば、使用者は取手部材を操作するとき、取手部材に取り付けられた引手部材を把持して引けばよいので、誰でも画像形成装置の開閉蓋を容易に開くことができるという効果がある。
【発明を実施するための最良の形態】
【００２４】
以下本発明を実施するための最良の形態としての実施例を図面に基づいて説明する。
【実施例１】
【００２５】
本例は、図１及び図２に示すように画像形成装置の可動部材である開閉蓋４０に設けられたものである。本例では、取手部材は可動部材例えば画像形成装装置の開閉蓋４０の側端部に鉛直方向に沿って設けられ手指が差し込可能な凹設部４１と、この凹設部４１の一部を覆い手指を引っ掛ける被板部４３とを備える。そして、本例では被板部４３には前記凹設部４１と外部とを連通する貫通孔４２を開設している。
【００２６】
また、本例では、図２に示すように、前記貫通孔４２に引手部材６０を取り付けるようにしている。この引手部材６０は前記貫通孔４２に挿通されて取り付けられる連結部材である紐状部材５１と、この紐状部材５１に固着部５３で固着された環状のストラップ部材５２とからなる。このストラップ部材５２は例えば合成樹脂製で手指を挿入して引っ張ることができるものとしている。
【００２７】
本例に係る取手部材によれば、手指が不自由で凹設部４１に挿入できない操作者であっても、ストラップ部材５２に手指を挿入して引っ掛け、引くことにより開閉蓋４０を開くことができる。
【実施例２】
【００３０】
本例は、図３に示すように前記開閉蓋４０につり革状の引手部材６０を取り付けたものである。本例では、開閉蓋４０の被板部４３に貫通孔４２を開設し、連結部材としてベルト部材６１を取付け、ベルト部材６１に合成樹脂製の環状部材６２を取り付けている。なお、図中符号６３は長さ調整用のバックル、６４は環状部材６２取り付け用の固定金具を示している。
【００３１】
また、本例に係る取手部材によれば、手指が不自由で凹設部４１に挿入できない操作者であっても、環状部材６２に手指を挿入して引っ掛け、引くことにより開閉蓋４０を開くことができる。
【図面の簡単な説明】
【００３５】
【図１】本発明に係る取手部材の第１の実施例が適用される開閉蓋を示す斜視図である。
【図２】本発明に係る取手部材の第１の実施例を示す斜視図である。
【図３】本発明に係る取手部材の第２の実施例を示す斜視図である。
【図４】従来の画像形成装置を示す斜視図である。
【符号の説明】
【００３６】
４０・・・開閉蓋
４１・・・凹設部
４２・・・貫通孔
４３・・・被板部
５０・・・引手部材
５１・・・紐状部材
５２・・・ストラップ部材
５３・・・固着部
６０・・・引手部材
６１・・・ベルト部材
６２・・・環状部材
【図１】
0004666293.tif 000002
【図２】
0004666293.tif 000003
【図３】
0004666293.tif 000004
【図４】
0004666293.tif 000005